(57)【要約】      （修正有）【課題】着用者の上胴を覆うように構成される任意の衣類に関する。【解決手段】上胴衣は、ドーム状部分に完全に広がる複数のコースを含むニット織物領域を有する胸部カバー部分を含む。加えて、ニット織物領域は、ドーム形状部分に部分的に広がる複数の部分長コースを含む。【選択図】図１
2020128624.tif 000002
【特許請求の範囲】
【請求項１】
胸部カバー部分を有する上胴衣であって、当該上胴衣は：
前記胸部カバー部分に位置し、中央ブリッジによって互いに分離される一対のドーム形状部分であって、各ドーム形状部分は上半分と下半分に分割可能であり、前記中央ブリッジに当接する内側周縁と、外側周縁とを含む、前記一対のドーム形状部分と；
前記ドーム形状部分の各々を構成するニット織物パネルであって、該ニット織物パネルは、前記内側周縁から前記外側周縁へ前記ドーム形状部分に完全に広がる複数のコースを備える、前記ニット織物パネルと；
前記ドーム形状部分に部分的に広がる複数の部分長コースであって、該複数の部分長コースは前記複数のコースの間に断続的に配置され、前記複数の部分長コースは前記上半分と前記下半分の間に不均等に分布される、前記複数の部分長コースと；
を備え、
前記ニット織物パネルは、第１糸ストランド及び第２糸ストランドで構成される複数のフロントステッチコースと複数のバックステッチコースとを有する管状ジャカードニット構造を備え、各フロントステッチコースは、前記第１糸ストランドと前記第２糸ストランドがフロントステッチコースとバックステッチコースとの間を前後に移動することによって、バックステッチコースと断続的にインターロックする、
上胴衣。
【請求項２】
前記下半分よりも前記上半分に、より多くの量の部分長コースが位置する、
請求項１に記載の上胴衣。
【請求項３】
前記上半分よりも前記下半分に、より多くの量の部分長コースが位置する、
請求項１に記載の上胴衣。
【請求項４】
前記複数の部分長コースは、第１長さを有する第１部分長コースと、前記第１長さよりも短い第２長さを有する第２部分長コースと、前記第２長さよりも短い第３長さを有する第３部分長コースとを含み；
前記第２部分長コースは、前記第１部分長コースと前記第３部分長コースとの間に配置され、前記第３部分長コースは、前記第２部分長コースよりも、当該上胴衣の胸部バンドの近くに配置される、
請求項１に記載の上胴衣。
【請求項５】
前記複数の部分長コースは、第１長さを有する第１部分長コースと、前記第１長さよりも短い第２長さを有する第２部分長コースと、前記第２長さよりも短い第３長さを有する第３部分長コースとを含み；
前記第２部分長コースは、前記第１部分長コースと前記第３部分長コースとの間に配置され、前記第１部分長コースは、前記第２部分長コースよりも、当該上胴衣の胸部バンドの近くに配置される、
請求項１に記載の上胴衣。
【請求項６】
前記複数の部分長コースは、第１長さを有する第１部分長コースと、前記第１長さよりも短い第２長さを有する第２部分長コースと、前記第２長さよりも長い第３長さを有する第３部分長コースとを含み；
前記第２部分長コースは、前記第１部分長コースと前記第３部分長コースとの間に配置される、
請求項１に記載の上胴衣。
【請求項７】
前記複数の部分長コースの各部分長コースは、前記内側周縁から第１ステッチ量だけ離間された内側端部を含み、前記外側周縁から第２ステッチ量だけ離間された外側端部を含み、前記第１ステッチ量は前記第２ステッチ量よりも少ない、
請求項１に記載の上胴衣。
【請求項８】
前記複数の部分長コースの各部分長コースは、前記内側周縁から第１ステッチ量だけ離間された内側端部を含み、前記外側周縁から第２ステッチ量だけ離間された外側端部を含み、前記第１ステッチ量は前記第２ステッチ量よりも多い、
請求項１に記載の上胴衣。
【請求項９】
第３糸ストランドが、１つおきのフロントステッチ及び１つおきのバックステッチとインターループすることによって前記フロントステッチコースを前記バックステッチコースにバインドする、インターロック・タック・ステッチのコースを構成する、
請求項１に記載の上胴衣。
【請求項１０】
各ドーム形状部分は、内側半分と外側半分を含み、前記外側半分よりも前記内側半分に、前記複数の部分長コース内のより多くの部分長コースが分布される、
請求項１に記載の上胴衣。
【請求項１１】
胸部カバー部分を有する上胴衣であって、当該上胴衣は：
前記胸部カバー部分に位置し、中央ブリッジによって互いに分離される一対のドーム形状部分であって、各ドーム形状部分は上半分と下半分に分割可能であり、前記中央ブリッジに当接する内側周縁と、外側周縁とを含む、前記一対のドーム形状部分と；
前記ドーム形状部分の各々を構成するニット織物パネルであって、該ニット織物パネルは、前記内側周縁から前記外側周縁へ前記ドーム形状部分に完全に広がる複数のコースを備える、前記ニット織物パネルと；
前記ドーム形状部分に部分的に広がる複数の部分長コースであって、該複数の部分長コースは前記複数のコースの間に断続的に配置される、前記複数の部分長コースと；
を備え、
前記ニット織物パネルは、第１糸ストランド及び第２糸ストランドで構成される複数のフロントステッチコースと複数のバックステッチコースとを有する管状ジャカードニット構造を備え、各フロントステッチコースは、前記第１糸ストランドと前記第２糸ストランドがフロントステッチコースとバックステッチコースとの間を前後に移動することによって、バックステッチコースと断続的にインターロックする、
上胴衣。
【請求項１２】
当該上胴衣は、３２インチ以下の胸部バンドサイズ及びＣ以下のカップサイズを有するブラである、
請求項１１に記載の上胴衣。
【請求項１３】
前記複数の部分長コースは各々、前記中央ブリッジからそれぞれの内側距離だけ離間された内側端部を含み、前記外側周縁からそれぞれの外側距離だけ離間された外側端部を含み、前記それぞれの内側距離は、前記それぞれの外側距離よりも短い、
請求項１１に記載の上胴衣。
【請求項１４】
第３糸ストランドが、１つおきのフロントステッチ及び１つおきのバックステッチとインターループすることによって前記フロントステッチコースを前記バックステッチコースにバインドする、インターロック・タック・ステッチのコースを構成する、
請求項１１に記載の上胴衣。
【請求項１５】
各ドーム形状部分は、内側半分と外側半分を含み、前記複数の部分長コースは、前記外側半分よりも前記内側半分に、部分長コースのより大きな分布を含む、
請求項１１に記載の上胴衣。
【請求項１６】
胸部カバー部分を有する上胴衣であって、当該上胴衣は：
前記胸部カバー部分に位置し、中央ブリッジによって互いに分離される一対のドーム形状部分であって、各ドーム形状部分は上半分と下半分に分割可能であり、前記中央ブリッジに当接する内側周縁と、外側周縁とを含む、前記一対のドーム形状部分と；
前記ドーム形状部分の各々を構成するニット織物パネルであって、該ニット織物パネルは、前記内側周縁から前記外側周縁へ前記ドーム形状部分に完全に広がる複数のコースを備える、前記ニット織物パネルと；
前記ドーム形状部分に部分的に広がる複数の部分長コースであって、該複数の部分長コースは前記複数のコースの間に断続的に配置される、前記複数の部分長コースと；
を備え、
前記ニット織物パネルは、第１糸ストランド及び第２糸ストランドで構成される複数のフロントステッチコースと複数のバックステッチコースとを有する管状ジャカードニット構造を備え、各フロントステッチコースは、前記第１糸ストランドと前記第２糸ストランドがフロントステッチコースとバックステッチコースとの間を前後に移動することによって、バックステッチコースと断続的にインターロックし、
第３糸ストランドが、１つおきのフロントステッチ及び１つおきのバックステッチとインターループすることによって前記フロントステッチコースを前記バックステッチコースにバインドする、インターロック・タック・ステッチのコースを構成する、
上胴衣。
【請求項１７】
当該上胴衣は、３２インチより大きい胸部バンドサイズ及びＣより大きいカップサイズを有するブラである、
請求項１６に記載の上胴衣。
【請求項１８】
当該上胴衣は、一対の肩ストラップを有し、各肩ストラップが、それぞれの肩ストラップ正中基準面を含み、該肩ストラップ正中基準面は前記複数の部分長コースと交差する、
請求項１６に記載の上胴衣。
【請求項１９】
前記複数の部分長コースは各々、前記中央ブリッジからそれぞれの内側距離だけ離間された内側端部を含み、前記外側周縁からそれぞれの外側距離だけ離間された外側端部を含み、前記それぞれの内側距離は、前記それぞれの外側距離よりも短い、
請求項１６に記載の上胴衣。
【請求項２０】
各ドーム形状部分は、内側半分と外側半分を含み、前記複数の部分長コースは、前記外側半分よりも前記内側半分に、部分長コースのより大きな分布を含む、
請求項１６に記載の上胴衣。
【発明の詳細な説明】
【背景技術】
【０００１】
上胴衣（Ｕｐｐｅｒ−ｔｏｒｓｏ  ｇａｒｍｅｎｔｓ）は、典型的に、着用者の上胴領域（ｕｐｐｅｒ−ｔｏｒｓｏ  ｒｅｇｉｏｎ）を覆うように構成される様々な部分を含む。例えば上胴衣はしばしば、胸部カバー部分及び背面カバー部分を含む。加えて、上胴衣は、時には様々な特性に基づいて選択される、様々な織物及び材料タイプを含んでよい。様々な特性を有する可能性があり、かつ上胴衣の少なくとも一部を構成するために使用される可能性がある１つのタイプの織物の例は、ニット織物（ｋｎｉｔ  ｔｅｘｔｉｌｅ）である。
【図面の簡単な説明】
【０００２】
本開示の主題は、本明細書に詳細において添付の図面に関連して説明されており、それらの図面は参照により本明細書に組み込まれる。
【図１】本開示の態様による上胴衣の正面図である。
【図２】図１に図示された衣類の正面斜視図である。
【図３】図１に図示された衣類の側面図である。
【図４】本開示の態様による、上胴衣の前部の概略図を示し、部分ニットコース（ｐａｒｔｉａｌ−ｋｎｉｔ  ｃｏｕｒｓｅｓ）の例示的な位置を示す図である。
【図５】本開示の代替的な態様による、別の上胴衣の前部の概略図を示し、部分ニットコースの例示的な位置を示す図である。
【図６】本開示の別の態様による、別の上胴衣の前部の概略図を示し、部分ニットコースの例示的な位置を示す図である。
【図７】本開示の別の態様による、別の上胴衣の前部の概略図を示し、部分ニットコースの例示的な位置を示す図である。
【図８】本開示の態様による例示的なニットの概略図である。
【図９】図８のニットの概略図に対応するニットプログラム表記（ｋｎｉｔ−ｐｒｏｇｒａｍ  ｎｏｔａｔｉｏｎｓ）を示す図である。
【図１０Ａ】本開示の態様によるフロントコース（ｆｒｏｎｔ  ｃｏｕｒｓｅ）とバックコース（ｂａｃｋ  ｃｏｕｒｓｅ）のインターロック・クロスオーバー（ｉｎｔｅｒｌｏｃｋｉｎｇ  ｃｒｏｓｓ  ｏｖｅｒｓ）を示すニットの概略図である。
【図１０Ｂ】本開示の態様によるフロントコースとバックコースのインターロック・クロスオーバーを示すニットの概略図である。
【図１１Ａ】本開示の一態様によるニットプログラム表記を示す図である。
【図１１Ｂ】図１１Ａの概略図の一部の拡大図である。
【図１２Ａ】本開示の他の態様による代替的なニット構造を示す、追加のニットの概略図である。
【図１２Ｂ】本開示の他の態様による代替的なニット構造を示す、追加のニットの概略図である。
【図１２Ｃ】本開示の他の態様による代替的なニット構造を示す、追加のニットの概略図である。
【図１２Ｄ】本開示の他の態様による代替的なニット構造を示す、追加のニットの概略図である。
【図１３】本開示の態様によるインターロック・タック・バインダ（ｉｎｔｅｒｌｏｃｋｉｎｇ  ｔｕｃｋ  ｂｉｎｄｅｒ）を有する管状ジャカードニット構造（ｔｕｂｕｌａｒ−ｊａｃｑｕａｒｄ  ｋｎｉｔ  ｓｔｒｕｃｔｕｒｅ）を示す、別の例示的なニットの概略図である。
【図１４】図１３のニット概略図に対応するニットプログラム表記を示す図である。
【図１５】本開示の態様によるフロントコース及びバックコースのインターロック・クロスオーバーと組み合わせたインターロック・タック・バインダを示すニットの概略図である。
【図１６】本開示の一態様によるニットプログラム表記を示す図である。
【発明を実施するための形態】
【０００３】
本主題は、法定要件を満たすために、本開示全体を通して詳細かつ具体性をもって記載される。しかしながら、本開示において説明される態様は、限定的ではなく例示的であるように意図されており、その説明自体は、必ずしも特許請求の範囲を限定するように意図されていない。むしろ、特許請求に係る主題は、本開示で説明されたものと均等な異なる要素又は要素の組合せを含む他の方法で実施されてもよい。言い換えると、特許請求の範囲の意図される範囲及び本明細書で説明される他の主題は、簡潔性の観点で本出願において明示的に記載又は示されていないが、本明細書で与えられる完全な開示を考慮して、その範囲内に含まれるものとして当業者によって理解されるであろう均等な特徴、態様、材料、構成方法及び他の態様を含む。特定の特徴及びサブコンビネーションは有用であり、他の特徴及びサブコンビネーションを参照することなく使用されてよいことが理解されよう。これは、特許請求の範囲によって考慮されており、その範囲内にある。
【０００４】
高レベルでは、本開示は、相互に独立に及び相互に組合せとして製品の動作に寄与する、様々な要素を有する上胴衣を説明する。一態様において、上胴衣は、着用者の身体の異なる領域をカバーするように構成される三次元ニット（３Ｄニット）ドーム部分を含む。例えば３Ｄニットドーム部分は、乳房領域、肩領域又は他の胴体部分をカバーするように構成されてもよい。３Ｄニットドーム部分は、様々なニット構造を含んでよく、一例では、３Ｄニットドーム部分は、部分ニット行（ｐａｒｔｉａｌ−ｋｎｉｔ  ｒｏｗｓ）を含む。他の要素もまた、衣服の特性に影響を及ぼす可能性がある。そのような他の要素は、本開示の他の部分でより詳細に説明されるが、糸の組成とサイズ、追加のニット構造及びステッチサイズが含まれる（ただし、これらに限定されない）。例えば一態様では、３Ｄニットドーム部分（部分ニット行を含む）は、管状ジャカードニット構造で構成される。これら及び他の態様は、図面を参照して、より詳細に説明される。
【０００５】
最初に図１〜図３を参照すると、例示的な上胴衣１０が示されており、この説明において、「上胴衣」は、着用者の上胴（Ｕｐｐｅｒ−ｔｏｒｓｏ）を覆うように構成される任意の衣類を示す。図示された上胴衣１０はブラであり、図示されたブラのスタイルは時々、スポーツブラ、アスレチックブラとして又は他の類似の呼称で呼ばれる。また、本開示の他の態様では、上胴衣は、ストラップレスブラ、キャミソール、ベース層シャツ（ｂａｓｅ−ｌａｙｅｒ  ｓｈｉｒｔ）、シングレット（ｓｉｎｇｌｅｔ）、レーシングスーツ等を含む、男性又は女性用の様々な他のタイプの衣類を含んでよい。
【０００６】
上胴衣１０の様々な態様を説明するとき、相対的な位置を理解するのを助けるために相対的な用語が使用されることがある。例えば上胴衣１０を、左側１２と右側１４に分けることができる。加えて、上胴衣１０は、該上胴衣１０が使用中の状態にあるときに着用者の背中の少なくとも一部を典型的に覆う後方部分１６と、使用中の状態にある着用者の胸部の少なくとも一部を典型的に覆う前方部分１８とを含むことができる。
【０００７】
さらに、上胴衣１０は、本開示の態様を説明するときにも参照され得る様々な部分を含む。例えば上胴衣１０は、肩ストラップ２０及び２２、並びにアームホール２４及び２６、そして一般にネック受容開口部の周りの外縁（ｐｅｒｉｍｅｔｅｒ）を形成するネックライン２８を含む。加えて、上胴衣１０は、左側１２に乳房カバー部分（ｂｒｅａｓｔ−ｃｏｖｅｒｉｎｇ  ｐｏｒｔｉｏｎ）３０、右側１４に乳房カバー部分３２を含んでおり、乳房カバー部分３０と乳房カバー部分３２の間に中央ブリッジ３４が配置されている。上胴衣１０はまた、乳房カバー部分３０及び３２の少なくとも一部の周りの外縁を形成する一連のカプセル化領域（ｅｎｃａｐｓｕｌａｔｉｏｎ  ｒｅｇｉｏｎｓ）３５Ａ、３５Ｂ、３５Ｃ、３５Ｄ、３５Ｅ及び３５Ｆを含む。
【０００８】
さらに、上胴衣１０は、上部胸部分（ｕｐｐｅｒ−ｃｈｅｓｔ  ｐｏｒｔｉｏｎ）３９、左脇下部分３６、右脇下部分３８、左翼４０及び右翼４２を含む。後方部分１６は、リアストラップ４６及び４８を有するメイン・トランク４４を有するレーサーバックスタイルのリアパネルを含む。トランク４４とリアストラップ４６及び４８は、一般に「Ｔ」形状又は「Ｙ」形状を形成し、ストラップ４６、４８は、肩ストラップ２０、２２と接続している。胸部バンド５０は、乳房カバー部分３０、３２及び翼４０、４２の下に周方向に延びて、後方部分１６の周囲を完全に取り囲む。胸部バンド５０は、いずれの留め金又は他の開放可能なコネクタも伴わずに図示されているが、代替的な態様では含まれてもよい。これらの相対的な領域及び部品は、必ずしも上胴衣１０の正確な領域を区別するようには意図されておらず、これらは例示及び説明の目的のために提供されている。しかしながら、上胴衣１０は、論理的な分割又は区分を提供する、シーム又は遷移ゾーンのような構造要素を含んでもよい。
【０００９】
上胴衣１０は、クレードル領域、アンダーワイヤ等のように、図１〜図３に必ずしも示されていない他の部品、領域及び部分を含んでもよい。加えて、上記で示したように、図１〜図３に示されるブラスタイルの上胴衣１０は、単に上胴衣のタイプを例示したものにすぎず、本開示の他の態様では、上胴衣は、袖、腹部カバー部分、腰部カバー部分、一体型のショーツ又はパンツ（例えば袖あり又は袖なしで様々な足の長さのユニタード）等を有してよい。さらに、本開示の他の態様では、上胴衣は、図１〜図３に図示される部分及び領域のすべてを含まなくてもよい。例えば上胴衣は、異なるカプセル化領域（又はカプセル化領域がない）異なるサイズの中央ブリッジ、異なる後方構造（例えば十字クロス、タンク型等）等を有することができる。
【００１０】
本開示の一態様では、上胴衣１０は、ニット織物領域（ｋｎｉｔ  ｔｅｘｔｉｌｅ  ｒｅｇｉｏｎ）を含み、本開示で使用されるとき、「ニット織物領域」は一般に、相互にインターループされる１つ以上の糸ストランドで構成される、上胴衣１０の少なくとも一部を指す。例えば図１では、例示的なニット織物領域５２が識別されており、ニット織物領域５２の更なる詳細が拡大図５４で更に示されている。拡大図５４は、例示的なニット構造５６を示す。部分的に分解した図５８によって示されるように、ニット構造５６は、インターループされたフロントステッチのコース（ｃｏｕｒｓｅｓ  ｏｆ  ｉｎｔｅｒｌｏｏｐｅｄ  ｆｒｏｎｔ  ｓｔｉｔｃｈｅｓ）６０と、インターループされたバックステッチのコース（ｃｏｕｒｓｅｓ  ｏｆ  ｉｎｔｅｒｌｏｏｐｅｄ  ｂａｃｋ  ｓｔｉｔｃｈｅｓ）６２を含む。
【００１１】
ニット織物領域５２は、図１では、ニット構造の描写及び説明を可能にするよう例示的な目的のために識別されているが、本開示の他の態様では、上胴衣１０は、領域５２よりも大きく、かつ／又は上胴衣１０の他の領域及び部分に配置される、１つ以上の他のニット織物領域を含む。例えば上胴衣１０の前方部分の少なくとも一部は、胸部バンド５０、乳房カバー部分３０及び３２、中央ブリッジ３４、カプセル化バンド３５Ａ〜３５Ｆ、脇下部分３６及び３８、翼４０及び４２、ストラップ２０及び２２、並びにこれらの任意の組合せを含む１つ以上のニット構造を含んでもよい。上胴衣１０のこれらの部分は、連続ニットパネルとして一体的に編まれてよく、上胴衣を形成するように一緒に結合される別個のニットパネルであってもよい。
【００１２】
本開示の一態様では、乳房カバー部分３０及び３２は各々、ニット織物領域６６及び６８を含む。乳房カバー部分３０及び３２は、該乳房カバー部分を識別することができる様々な特徴を含む。例えば乳房カバー部分３０及び３２は一般に、胸部バンド５０よりも上方に、かつストラップ２０及び２２よりも下方に配置される。加えて、乳房カバー部分３０及び３２は一般に、上胴衣１０の前側に、脇下部分３６と３８の間に、そして翼４０と４２の間にある。さらに、図１〜図３によって示唆されるように、乳房カバー部分３０及び３２は、中央ブリッジ３４によって分離されてよく、カプセル化領域３５Ａ〜３５Ｆによって１つ以上の側面と接している。また、いくつかの他の態様では、乳房カバー領域３０及び３２が、左側の翼及び腕下部分から右側の翼及び腕下部分まで前側に広がる単一の乳房カバー部分を形成するように、中央ブリッジ３４が省略されてもよい。同様に、カプセル化領域３５ＡＳ〜３５Ｆの厚さを減らしてもよく、あるいは本開示の他の態様では、カプセル化領域を省略してもよい。
【００１３】
図２及び図３の側面図によって示されるように、乳房カバー部分３０及び３２は、凸状の外面７０を含み、したがって、図１〜図３に示される視点からでは見えない凹状の内面を含む。乳房カバー部分３０及び３２は、上胴衣１０が人間又はマネキンによって着用されるときのように使用中の状態にあるときは、着用者の胸部領域を覆うことができ、場合によっては、着用者の乳房領域に接触することがある。さらに、乳房カバー部分３０及び３２は、着用者のそれぞれの乳房組織（ｂｒｅａｓｔ  ｔｉｓｓｕｅ）に圧縮サポート（ｃｏｍｐｒｅｓｓｉｖｅ  ｓｕｐｐｏｒｔ）を提供することができる。図１〜図３に示される乳房カバー部分３０及び３２のサイズ及び形状は、本明細書で説明される主題の一態様を例示するものであり、他の態様では、サイズ及び形状を変化させることができる。
【００１４】
凸状の外面７０を有する乳房カバー部分３０及び３２はドーム形状であり、様々な方法で構成され得る。例えば本開示の一態様では、ドーム形状の乳房カバー部分は、複数の部分長コース（ｐａｒｔｉａｌ−ｌｅｎｇｔｈ  ｃｏｕｒｓｅｓ）を含んでおり、これらの部分長コースは、ニット織物領域を確立してドーム形状を作るために、乳房カバー部分全体の異なる位置に材料（すなわち、ニットステッチ）を追加する。
【００１５】
引き続き図１〜図３を参照すると、乳房カバー部分３０及び３２の各々は、内側周縁（ｍｅｄｉａｌ  ｐｅｒｉｍｅｔｅｒ  ｅｄｇｅ）７２及び７４から外側周縁（ｌａｔｅｒａｌ  ｐｅｒｉｍｅｔｅｒ  ｅｄｇｅ）７６Ａ／Ｂ及び７８Ａ／Ｂへ、そして下部周縁（ｉｎｆｅｒｉｏｒ  ｐｅｒｉｍｅｔｅｒ  ｅｄｇｅ）８０及び８２から上部周縁（ｓｕｐｅｒｉｏｒ  ｐｅｒｉｍｅｔｅｒ  ｅｄｇｅ）８４及び８６へ延びている。図１〜図３に示されるように、内側周縁７２及び７４は、中央ブリッジ３４に直接隣接しており、外側周縁は、カプセル化領域３５Ａ、３５Ｂ、３５Ｅ及び３５Ｆによって縁取られている。さらに、下部周縁８０及び８２は、胸部バンド５０によって縁取られ、上部周縁は、カプセル化領域によって縁取られ、カプセル化領域に直接隣接している。さらに、各乳房カバー部分３０及び３２は、該乳房カバー部分を左側と右側に均等に分割する縦正中線８８（例えば図２を参照されたい）を含む。また、各乳房カバー部分３０及び３２は、該乳房カバー部分を上半分及び下半分に均等に分割する横正中線９０（例えば図２を参照されたい）も含む。
【００１６】
乳房カバー部分を構成するニット織物パネルは、中央ブリッジから外側周縁までドーム形状部分に広がる複数のニットコースを含む。さらに、本開示の一態様によると、ニット織物パネルはまた、複数のニットコースよりも短く、複数のニットコースの間に断続的に配置される、複数の部分長コースを含む。部分長コースは、３Ｄニットドーム構造を構築するために、ニットステッチの形で材料を追加する。言い換えると、乳房カバー部分の境界となる上胴衣の部分がＸ−Ｙ平面に配置されている場合、部分長コースが、Ｚ方向にドーム形状部分を形成する。本開示の一態様では、部分長コースは、乳房カバー部分内に不均等に分布される。すなわち、部分長コースは、上半分と下半分の間、右半分と左半分の間又はそれらの組合せの間で不均等に分布される。
【００１７】
次に、図４〜図７を参照すると、各図は、いくつかの詳細が除去又は簡略化された上胴衣の一部を示しており、各図は、本開示のいくつかの態様に従って、部分長コースが乳房カバー部分３０及び３２にどのように分布及び配置され得るかを示す。各上胴衣は、（図１〜図３の図と比較して）平らに示されているが、上胴衣を、図４〜図７と整合させて構成する場合、乳房カバー部分は、（図４〜図７に示されるように）平らではなく、代わりに、３Ｄニットのドーム形状部分を含むことが理解される。
【００１８】
図４〜図７の上胴衣の各々において、乳房カバー部分３０及び３２は、内側周縁７２及び７４、外側周縁７６Ａ／Ｂ及び７８Ａ／Ｂ、下部周縁８０及び８２、そして上部周縁８４及び８６を含む。前述のように、内側周縁７２及び７４は中央ブリッジ３４に直接隣接し、外側周縁は、カプセル化領域３５Ａ、３５Ｂ、３５Ｅ及び３５Ｆによって縁取られる。さらに、下部周縁８０及び８２は、胸部バンド５０によって縁取られ、上部周縁８４及び８６は、カプセル化領域３５Ｄ及び３５Ｃによって縁取られ、カプセル化領域３５Ｄ及び３５Ｃに直接隣接している。さらに、前述したように、各乳房カバー部分３０及び３２は、該乳房カバー部分を内側部分と外側部分に均等に分割する縦正中線８８Ａ及び８８Ｂを含む。各乳房カバー部分３０及び３２はまた、該乳房カバー部分を上半分と下半分に均等に分割する横正中線９０Ａ及び９０Ｂも含む。
【００１９】
図４〜図７の各々において、各乳房カバー部分３０及び３２はニット織物パネルで構成されており、ニット織物パネルは、内側周縁７２、７４から外側周縁７６Ａ／Ｂ及び７８Ａ／Ｂへ、乳房カバー部分３０及び３２に十分に広がる複数のコースを含む。説明のために、乳房カバー部分３０及び３２に完全に広がる（ｆｕｌｌｙ  ｓｐａｎｎｉｎｇ）複数のコースは、点影ゾーン９１Ａ〜９１Ｃによって示されており、乳房カバー部分３０及び３２に広がるコースは、周縁を越えて示されていないが、これらのコースは、上胴衣の他の部分へ（例えばカプセル化領域、翼、脇下部分等へ）延びてもよいことが理解される。乳房カバー部分３０及び３２の各々に含まれる要素の多くは、互いに鏡像であり、そのため、いくつかの例では、乳房カバー部分の一方における特徴の説明は、他方の乳房カバー部分にも当てはまることが理解される。
【００２０】
加えて、図４〜図７の各々は、部分長コースの異なる配置を示しており、これらの部分長コースの各々は、乳房カバー部分３０及び３２における部分長コースの位置に基づいて、異なる３Ｄ幾何学的形状を有するドーム形状の部分をもたらすことになる。例えば図４は、乳房カバー部分３２に部分的に広がる複数の部分長コース９２Ａ〜９２Ｆを示している。部分長コース９２Ａ〜９２Ｆは、複数のコース９１Ａ〜９１Ｃの間に断続的に配置される。さらに、下半分と比べて、より多くの量の部分長コースが上半分に分布しており、これにより、乳房カバー部分３２の上半分のドーム形状部分のボリュームを増加させることができる。さらに、部分長コースの多くの部分は、乳房カバー部分３２の内側部分に分布している。
【００２１】
さらに、部分長コース９２Ａ〜９２Ｆは、第１長さを有する第１部分長コース９２Ａと、第１長さより短い第２長さを有する第２部分長コース９２Ｂと、第２長さより短い第３長さを有する第３部分長コース９２Ｃを含む。第２コース９２Ｂは、第１コース９２Ａと第３コース９２Ｃの間に配置されるので、コース９２Ａ〜９２Ｃは、サイズが徐々に（最大から最小に）減少し、結果として得られるドーム形状部分は、より丸みを帯びた下部周縁を含むことができる。
【００２２】
乳房カバー部分３２は、長さが最長から最短に徐々に減少する部分長コースの複数のサブセットを含んでもよい。例えばコース９２Ａ〜９２Ｃは、（上述のように）長さが徐々に減少するコースの第１サブセットを表す。さらに、乳房カバー部分３２は、やはり最長から最短に長さが徐々に減少する部分長コース９２Ｄ〜９２Ｆの別のサブセットを含む。本開示の一態様によると、コース９２Ｄ〜９２Ｆのサブセットは、コース９２Ａ〜９２Ｃの第１サブセットと少なくとも部分的に重なる。言い換えると、９２Ｄ〜９２Ｆからのコースの少なくとも１つは、第１サブセット９２Ａ〜９２Ｃに含まれるコースの少なくとも２つの間に配置される。部分長コースの少なくとも部分的に重なるサブセットは、凸状の外表面をもたらす、乳房カバー部分を段階的な方法でＺ方向に形成するのに役立つ。
【００２３】
次に、図５を参照すると、乳房カバー部分３２に部分的に広がる複数の部分長コース９４Ａ〜９４Ｆを有する別の上胴衣が示されている。部分長コース９４Ａ〜９４Ｆは、（点影部分で示される）複数のコースの間に断続的に配置される。加えて、上半分に比べて、より多くの量の部分長コースが下半分に分布しており、これにより、乳房カバー部分３２の下半分のドーム形状部分のボリュームを増加させることができる。加えて、図４と同様に、部分長コース９４Ａ〜９４Ｆは、互いに重なるコースのサブセットを含む。
【００２４】
次に、図６を参照すると、乳房カバー部分３２に部分的に広がる複数の部分長コース９６Ａ〜９６Ｆを有する別の上胴衣が示されている。部分長コース９６Ａ〜９６Ｆは、（点影部分で示される）複数のコースの間に断続的に配置される。加えて、内側部分に比べて、部分長コースのより多くの部分が乳房カバー部分の外側部分に分布しており、これにより、外側部分のドーム形状部分のボリュームを増加させることができる。
【００２５】
次に、図７を参照すると、乳房カバー部分３２に部分的に広がる複数の部分長コース９８Ａ〜９８Ｆを有する別の上胴衣が示されている。部分長コース９８Ａ〜９８Ｆは、（点影部分で示される）複数のコースの間に断続的に配置される。加えて、下半分と比べて、より多くの量の部分長コースが乳房カバー部分の上半分に分布しており、これにより、上半分のドーム形状部分のボリュームを増加させることができる。
【００２６】
図７において、乳房カバー部分は、図４〜図６よりもワイドであり、したがって、本開示の一態様では、上半分における部分長コースのより大きな分布を使用して、より大きなサイズの上胴衣を構築することができる。例えば本開示の一態様では、３２Ｃ（ＵＳサイズ）より大きいサイズを有する上胴衣は、乳房カバー部分の上半分に部分長コースのより大きな分布を含んでもよい。さらに、図７において、肩ストラップは各々、それぞれの肩ストラップを二分する正中基準面（ｍｉｄｌｉｎｅ  ｒｅｆｅｒｅｎｃｅ  ｐｌａｎｅ）９９Ａ及び９９Ｂを含む。本発明の一態様では、正中基準面は、複数の部分長コース９８Ａ〜９８Ｆと交差する。正中基準面を部分長のコースと位置合わせすることにより、肩ストラップは、乳房組織が包まれるニット織物パネルと位置合わせされる。更なる態様では、正中基準面は、縦正中線８８Ａ、８８Ｂと横正中線９０Ａ、９０Ｂとの交点と位置合わせされる。
【００２７】
乳房カバー部分３０及び３２を構成するニット織物パネルは、様々なタイプのニット構造を含んでよく、本開示の一態様では、ニット織物領域６６及び６８は、管状ジャカードニット構造を含む。すなわち、部分長コース及び完全長コースの両方が、管状ジャカードニット構造を含んでもよく、例示の目的のために、様々な管状ジャカードニット構造が、図８〜図１６に関連して説明される。例えば図８〜図１６の管状ジャカードニット構造（及び対応する説明）は、様々な密度のインターロック・クロスオーバー（例えば糸ストランドの移動）を有する管状ジャカードニット構造、並びにインターロック・タック・バインダを有する管状ジャカードニット構造を開示する。これらのニット構造の各々は、ドーム形状の乳房カバー部分を形成するために、図４〜図７に関して説明した完全長コース及び部分長コースを構成することができる。加えて、管状ジャカードニット構造と同じ伸び力学を有しない可能性がある他のニット構造も、完全長コース及び部分長コースを構成する可能性もある。そのような他のニット構造は、ダブルジャージ・ニット又はシングルニット（例えばジャージ、リブ、インターロック等）を含む（ただし、これらに限定されない）。
【００２８】
図８を参照すると、例示的な管状ジャカードニット構造１１０のいくつかの特徴を示す概略図が示されている。管状ジャカードニット構造１１０は、第１糸ストランド１１６及び第２糸ストランド１１８で構成される、複数のフロントステッチコース１１２及び複数のバックステッチコース１１４を含む。さらに、図８は、フロントステッチコースのうちの１つのフロントステッチコース１２０が、バックステッチコースのうちの１つのバックステッチコース１２２と、そのフロントステッチコース１２０からそのバックステッチコース１２２まで延びる第１糸ストランド１１６によって、断続的にインターロック（ｉｎｔｅｒｍｉｔｔｅｎｔｌｙ  ｉｎｔｅｒｌｏｃｋ）していることを図示している。加えて、バックステッチコース１２２へ延びている第１糸ストランド１１６と対応する位置において、第２糸ストランド１１８は、バックステッチコース１２２からフロントステッチコース１２０に延びている。
【００２９】
本開示の一態様によると、第１糸ストランド１１６がフロントステッチコース１２０からバックステッチコース１２２まで延び、第２糸ストランド１１８がバックステッチコース１２２からフロントステッチコース１２０まで延びるこの構造は、参照番号１２４によって識別される「インターロック・クロスオーバー」と呼ばれる。図８には、第１糸ストランド１１６がバックステッチコース１２２からフロントステッチコース１２０に延び、第２糸ストランド１１８がフロントステッチコース１２０からバックステッチコース１２２に延びる別のインターロック・クロスオーバー１２６が図示されている。
【００３０】
本開示の態様によれば、インターロック・クロスオーバーは、１つのフロントステッチコースを、複数のフロントステッチのサブセット又はサブ量（ｓｕｂ−ｑｕａｎｔｉｔｉｅｓ）に分ける。例えばインターロック・クロスオーバー１２４及び１２６は、フロントステッチコース１２０を第１量のフロントステッチ１２８、第２量のフロントステッチ１３０及び第３量のフロントステッチ１３２に分割する。同様に、バックステッチコース１２２は、第１量のバックステッチ１３４、第２量のバックステッチ１３６及び第３量のバックステッチ１３８に分割される。
【００３１】
図８において、第１糸ストランド１１６は、第２糸ストランド１１８とは異なる外観を有するように示されている。例えば第１糸ストランド１１６は、第２糸ストランド１１８とは異なる色であってもよい。本開示の一態様では、２つの糸ストランド１１６及び１１８の間の外観の相違により、第１及び第２糸ストランドがフロントコースとバックコースとの間で前後に断続的に切り替わるときに、図１〜図３の乳房カバー部分３０、脇下部分３６及び３８、並びに翼４０及び４２における例示のストライピングパターンのような、ストライピングパターンが得られる。図１〜図３の上胴衣１０は単に、達成され得る１つのストライピングパターンの例示にすぎず、他の態様では、上胴衣１０は異なるパターンを有してよい。加えて、第１糸ストランド及び第２糸ストランドをフロントコースとバックコースとの間で前後に切り替えることによって視覚的なストライピングパターンが形成されないように、第１糸ストランド及び第２糸ストランドは同じ又は類似の外観を有してもよい。
【００３２】
次に、図９を参照すると、図８の管状ジャカードニット構造１１０に対応する例示的なニットダイアグラム２１０が図示されている。ニットダイアグラム２１０は、複数の列と行を含む。各列は針位置（ｎｅｅｄｌｅ  ｐｏｓｉｔｉｏｎ）を表し、各行は糸ストランドを表す。行は、管状ジャカードニットを形成するために使用される第１糸ストランドと第２糸ストランドとの間で交互になっている。各列内において、ステッチのタイプが、ステッチがフロントベッド（ｆｒｏｎｔ  ｂｅｄ）上であるかバックベッド（ｂａｃｋ  ｂｅｄ）上であるかを示す指示とともに指定される。「糸」の下にあるステッチ表記はフロントベッド上であり、「糸」の上にあるステッチ表記はバックベッド上である。例えば行２１２Ｃは、１０個の針位置Ａ〜Ｊにおける第１糸ストランド２１６のステッチタイプ及びステッチ位置（ｓｔｉｔｃｈ  ｌｏｃａｔｉｏｎ）を示す。ステッチ表記２１３はフロントベッド上のステッチを指定し、ステッチ表記２１５はバックベッド上のステッチを指定する。したがって、ラインセグメント２２０は、フロントベッドからバックベッドへの移動（ｔｒａｎｓｆｅｒ）に対応する。
【００３３】
図９を続けると、行２１２Ａ〜行２１２Ｃの各々は、第１糸ストランド２１６のニット構造を規定し、交互の行２１４Ａ〜行２１４Ｃは、第２糸ストランド２１８のニット構造を規定する。行２１２Ａ及び行２１２Ｂは、ニット構造の前側における第１糸ストランド２１６による１０個のステッチを規定し、行２１４Ａ及び行２１４Ｂは、ニット構造の後側における第２糸ストランド２１８による１０個のステッチを規定する。これらの行２１２Ａ、２１２Ｂ、２１４Ａ及び２１４Ｂは、図８の最初の２つのフロントステッチコース及び最初の２つのバックステッチコースに対応する。
【００３４】
以前に説明したように、行２１２Ｃは、図８の第１糸ストランド１１６に対応する第１糸ストランド２１６のステッチを示す。このように、行２１２Ｃは、フロント側で３ステッチ、バック側への移動（すなわち、ラインセグメント２２０）、バック側で５ステッチ、フロント側への移動（すなわち、ラインセグメント２２４）、フロント側で２ステッチを順次指定する。行２１４Ｃは、図８の第２糸ストランド１１８に対応する第２糸ストランド２１８のステッチを指定し、そのため、行２１４Ｃは、バック側で３ステッチ、フロント側への移動（すなわち、ラインセグメント２２２）、フロント側で５ステッチ、バック側への移動（すなわち、ラインセグメント２２６）、バック側で２ステッチを順次指定する。実行されると、２２０及び２２２によって指定された移動はインターロック・クロスオーバー１２４に変換され、２２４及び２２６によって指定された移動はインターロック・クロスオーバー１２６に変換される。したがって、行２１２Ｃ及び行２１４Ｃによって規定されるステッチの組合せは、図８のフロントステッチコース１２０と図８のバックステッチコース１２２に変換される。
【００３５】
図８に関して説明したように、インターロック・クロスオーバーは、コースをステッチのサブセットに分ける。例えば図９において、移動２２０、２２２、２２４及び２２６は、インターロック・コース（ｉｎｔｅｒｌｏｃｋｅｄ  ｃｏｕｒｓｅ）を、第１量のフロントステッチ２２８、第２量のフロントステッチ２３０、第３量のフロントステッチ２３２、第１量のバックステッチ２３４、第２量のバックステッチ２３６及び第３量のバックステッチ２３８に分ける。
【００３６】
例示的な管状ジャカードニット構造３１０を更に説明するために、図１０Ａは、フロントステッチコース３１２及びバックステッチコース３１４の別の概略図を含んでおり、これは、図８に示されるフロントステッチコース１２０及びバックステッチコース１２２の代替的な視覚的表現を提供する。フロントステッチコース３１２及びバックステッチコース３１４は、第１糸ストランド３１６及び第２糸ストランド３１８から形成され、フロントステッチコース３１２は、バックステッチコース３１４と断続的にインターロックされて、インターロック・コース３２０を形成する。インターロック・コース３２０は、インターロック・クロスオーバー１２４（図８）に対応する糸ストランド３１６及び３１８のインターロック・クロスオーバー３２４と、インターロック・クロスオーバー１２６（図８）に対応する別のインターロック・クロスオーバー３２６を含む。
【００３７】
さらに、図１０Ａは、インターロック・クロスオーバー３２４及び３２６が、インターロック・コースを、第１量のフロントステッチ３２８、第２量のフロントステッチ３３０、第３量のフロントステッチ３３２、第１量のバックステッチ３３４、第２量のバックステッチ３３６及び第３量のバックステッチ３３８に分割することを例示的に示している。インターロック・コース３２０内では、インターロック・クロスオーバー３２４及び３２６と、第２量のフロントステッチ３３０と、第２量のバックステッチ３３６との組合せが、２つのコース３１２及び３１４の間の空間３４０を実質的に区切る。
【００３８】
図１０Ｂを参照すると、ニット構造３１０は、力を受けると、様々な方法で動作する。例えば力が、インターロック・コース３２０と交差する方向（例えば３４２Ａ、３４２Ｂ又は３４２Ｃ）に加えられると、ニット構造３１０は、インターロック・コース３２０と整列される方向（例えば３４４Ａ及び３４４Ｂ）に伸びる。加えて、力が取り除かれると、ニット構造３１０はその静止状態に戻る。本開示の一態様では、インターロック・クロスオーバー３２４及び３２６は、より屈曲又は湾曲される第１状態（例えば図１０Ａ）から、より真っ直ぐな第２状態（例えば図１０Ｂ）に機械的に変わる第１糸ストランド３１６及び第２糸ストランド３１８によって、ニット構造３１０のこの特性に寄与する。この意味で、インターロック・クロスオーバー３２４及び３２６は、ステッチのサブセット間の伸縮ジョイントと同様に機能する。
【００３９】
ニット構造３１０を有するニット織物領域が上胴衣１０内に構築されるとき、様々な状況において、力がニット構造に加えられる可能性がある。例えば上胴衣が着用されて、着用者の一部（例えば乳房組織）がニット織物領域に押し付けるときに、インターロック・コース３２０と交差する方向に力が加えられる可能性がある。このように、ニット織物領域は、着用者にフィットするように機械的に伸張するか伸びて、着用者に対する圧縮力を提供する。
【００４０】
本開示の一態様では、ニット織物領域の中に含まれるインターロック・クロスオーバーの密度（例えば所与のニット領域内のインターロック・クロスオーバーの数）は、機械的伸張や伸びの量、並びに着用者の組織（例えば乳房組織）に対する圧縮力を達成するように選択される。すなわち、所与の数のステッチの中でより多くのインターロック・クロスオーバーを含む第１インターロック・コースと、その所与の数のステッチにおいてインターロック・クロスオーバーの数がより少ない第２インターロック・コースとが同じ力を受けるとき、第１インターロック・コースは第２インターロック・コースよりも伸びることができる。このように、第２インターロック・コースは、同じ条件（例えば衣類のサイズ及び着用者の寸法）の下で、第１インターロック・コースよりも多くの圧縮を提供することができ、第１インターロック・コースは、第２インターロック・コースよりも機械的に伸びるであろう。これらの原理を適用すると、本開示の一態様は、インターロック・クロスオーバーの密度に少なくとも部分的に基づいてそれぞれの伸びの量を提供する１つ以上の管状ジャカードニット構造を含む、上胴衣を含む。
【００４１】
図１１Ａを参照すると、ニットダイアグラム７１０は、第１糸ストランド７１６で形成されるステッチを表す複数の第１ストランド行７１２Ａ〜７１２Ｇと、第２糸ストランド７１８で形成されるステッチを規定する複数の第２ストランド行７１４Ａ〜７１４Ｇを示す。加えて、ニットダイアグラム７１０は、複数の連続的に配置された針位置（Ａ〜ＡＡ）を含む。実行されると、対応する第１ストランド行（例えば７１２Ａ）及び対応する第２ストランド行（例えば７１４Ａ）は、ある密度のインターロック・クロスオーバーを含むフロントステッチコース及びバックステッチコースに変換される。図１１Ｂは、第１ストランド行７１２Ａ〜７１２Ｂ、第２ストランド行７１４Ａ〜７１４Ｂ及び針位置のサブセットＨ〜Ｙを含む、ニットダイアグラム７１０の一部の拡大図を含む。
【００４２】
第１ストランド行７１２Ａで指定される第１ストランドステッチは、第２ストランド行７１４Ａで指定される第２ストランドステッチと断続的にインターロックし、インターロック・コース７２０Ａを形成する。加えて、インターロック・コース７２０Ａは、インターロック・コース７２０Ａに沿って繰り返されるコース内ニットシーケンス（ｉｎｔｒａ−ｃｏｕｒｓｅ  ｋｎｉｔ  ｓｅｑｕｅｎｃｅ）を含む。繰り返すコース内ニットシーケンスは、ボックス７２２Ａ（図１１Ａ）によってアウトラインが示され、コース内ニットシーケンスの繰り返しインスタンスはボックス７２２Ｂ及び７２２Ｃによってアウトラインが示されている。図１１Ｂも、ボックス７２２Ｂ及び７２２Ｃによってアウトラインが示されている繰り返しのコース内ニットシーケンスを示している。本開示の一態様によると、コース内ニットシーケンスの構造、並びに繰り返しインスタンスは、インターロック・コース内のインターロック・クロスオーバーの密度に寄与する。
【００４３】
図１１Ｂを参照すると、（ボックス７２２Ｂによって識別される）コース内ニットシーケンスは、第１糸ストランド７１６によって形成される第１量のフロントステッチ７２４と、第２糸ストランド７１８によって形成される第１量のバックステッチ７２６を含む。さらに、針位置Ｍ及びＮの間で、第１糸ストランド７１６はフロントベッドからバックベッドに移動し、第２糸ストランド７１８はバックベッドからフロントベッドに移動する。次いで、第１糸ストランド７１６は第２量のバックステッチ７２８を形成し、第２糸ストランド７１８は、第２量のフロントステッチ７３０を形成する。次いで、第１糸ストランド７１６及び第２糸ストランド７１８は、第２量のフロントステッチ７３０及び第２量のバックステッチ７２８の後に、針位置ＰとＱとの間でクロスバックオーバー（ｃｒｏｓｓ  ｂａｃｋ  ｏｖｅｒ）する。次に、針位置ＰとＱの間でクロスバックオーバーの後、コース内ニットシーケンスは、インターロック・コース内で少なくとも１回繰り返す。
【００４４】
例示的なニットダイアグラムにおいて、コース内ニットシーケンス内のフロントステッチの量は８つであり（例えば針ＩからＰまでで与えられるフロントステッチ）、コース内ニットシーケンス内のバックステッチの量は８つである。加えて、コース内ニットシーケンスの繰り返しインスタンスを開始する第２インターロック・クロスオーバーの前に、これらの８つのフロントステッチと８つのバックステッチの間に単一のインターロック・クロスオーバーがある。図１１Ａ及び図１１Ｂに示されるコース内ニットシーケンスは、単に本開示の一態様の例示にすぎず、当該態様では、ニットダイアグラム７１０によって規定される構造に従って形成されるニット織物領域は、８つのフロントステッチと、８つのバックステッチと、８つのフロント及びバックステッチの間のインターロック・クロスオーバーとの繰り返しパターンに少なくとも部分的に起因する、伸びの量と圧縮特性を含む。また、本開示の他の態様では、各それぞれのコース内ニットシーケンスは、４個以上で１２個以下の量のフロントステッチと、４個以上で１２個以下の量のバックステッチとを含む。繰り返しシーケンス内のフロントステッチ及びバックステッチの量は、繰り返しシーケンスを含むことになるニット織物領域によって提供されるべき圧縮の量に少なくとも部分的に基づいて選択及び調整され得る。
【００４５】
図１１Ａ及び図１１Ｂにおいて、ニットプログラム７１０は、複数のインターロック・コース７２０Ａ、７２０Ｂ及び７２０Ｃの表記を示しており、各インターロック・コースは、それぞれのインターロック・コースに沿って繰り返すそれ自体のそれぞれのコース内ニットシーケンス（例えば７２２Ａ、７２２Ｄ及び７２２Ｅ）を含む。本開示の態様によれば、第１量のフロントステッチ、第１量のバックステッチ、第２量のフロントステッチ及び第２量のバックステッチはすべて、それぞれのコース内ニットシーケンスの各々の間で一貫している。例えばインターロック・コース７２０Ａは、第１量のフロントステッチ７２４における５つのフロントステッチと、第１量のバックステッチ７２６における５つのバックステッチと、第２量のフロントステッチ７３０における３つのフロントステッチと、第２量のバックステッチ７２８における３つのバックステッチとを有するコース内ニットシーケンス７２２Ａを含む。一貫した方法で、別のインターロック・コース７２０Ｂは、第１量のフロントステッチ７３６における５つのフロントステッチと、第１量のバックステッチ７３８における５つのバックステッチと、第２量のフロントステッチ７４０における３つのフロントステッチと、第２量のバックステッチ７４２における３つのバックステッチとを有するコース内ニットシーケンス（ボックス７２２Ｄによって識別される）を含む。
【００４６】
各々がそれぞれのインターロック・コース内に配置されるそれぞれのコース内ニットシーケンス（例えばボックス７２２Ａ内のシーケンス及びボックス７２２Ｄ内のシーケンス）が、フロント及びバックステッチのサブセットの各々において等しい数のステッチを含むニット構造では、様々な配置を実装することができる。例えば図１１Ａ及び図１１Ｂにおいて、インターロック・コース７２０Ａ及び７２０Ｂのインターロック・クロスオーバーは、隣接するインターロック・コース内の同じペアの針位置Ｍ及びＮの間に配置される。加えて、コース内ニットシーケンス７２２Ａ、７２２Ｄ及び７２２Ｅのすべてにおいて、所与のコース内ニットシーケンス内のフロントステッチの総数とバックステッチの総数（すなわち、８つのフロントステッチと８つのバックステッチ）を分割して、サブセット内に異なる量のステッチ（すなわち、フロントステッチサブセットのうちの１つに５つのステッチと、他のフロントステッチのサブセット内に３つのフロントステッチ）を有するサブセットを作成する。
【００４７】
次に、図１２Ａを参照すると、管状ジャカードニット構造が、第２インターロック・コース８２０Ｂにインターループ状に結合（ｉｎｔｅｒｌｏｏｐｅｄｌｙ  ｃｏｕｐｌｅｄ）される第１インターロック・コース８２０Ａを含む、代替的な態様が示されている。インターロック・コースは、フロントステッチコースのインタールーピング（ｉｎｔｅｒｌｏｏｐｉｎｇ）とバックステッチコースのインタールーピングによってインターループ状に結合される。第１及び第２インターロック・コース８２０Ａ及び８２０Ｂは、それぞれのインターロック・コースにおいて繰り返すそれぞれのコース内ニットシーケンス８２２Ａ及び８２２Ｂを含む。図１１Ａ及び図１１Ｂのニットダイアグラムと同様に、第１量のフロントステッチ８２４Ａ及び８２４Ｂ、第１量のバックステッチ８２６Ａ及び８２６Ｂ、第２量のフロントステッチ８２８Ａ及び８２８Ｂ及び第２量のバックステッチ８３０Ａ及び８３０Ｂはすべて、それぞれのコース内ニットシーケンスの各々の間で一貫している。また、図１２Ａに示される代替的な態様では、第１インターロック・コース８２０Ａにおけるクロスオーバー８３２（インターロック・クロスオーバーを形成することになる）は、第２インターロック・コース８２０Ｂにおけるクロスオーバー８３４とは異なる針位置に配置される。インターロック・クロスオーバーは、隣接する針位置の異なるペアの間に配置されるが、インターロック・コース８２０Ａと８２０Ｂは、所与の数の繰り返しコース内ニットシーケンスの間で同じ密度のインターロック・クロスオーバーを含み、したがって、インターロック・コース８２０Ａ及び８２０Ｂは、ニット織物領域の一部を構成する際に、同様の伸び及び圧縮特性を有する。例えば２組の繰り返しコース内ニットシーケンスを含む１６個の針位置の間に、インターロック・コース８２０Ａ及び８２０Ｂは両方とも、３つのインターロック・クロスオーバーを含む。
【００４８】
次に、図１２Ｂを参照すると、管状ジャカードニット構造が、第２インターロック・コース８４０Ｂにインターループ状に結合される第１インターロック・コース８４０Ａを含み、第１及び第２インターロック・コースが、それぞれのインターロック・コースで繰り返すそれぞれのコース内ニットシーケンス８４２Ａ及び８４２Ｂを含む、別の態様が示されている。図１２Ｂのニットダイアグラムは、それぞれのコース内ニットシーケンス内のステッチの総量が同じ（すなわち、８つのフロントステッチ及び８つのバックステッチ）であるので、図１１Ｂのニットダイアグラムと同様である。しかしながら、図１２Ｂのニットダイアグラムは、フロントステッチ及びバックステッチのサブセットが、コース内ニットシーケンス８４２Ａ及び８４２Ｂの各々で異なるように分割されるので、図１１Ｂ及び図１２Ａのニットダイアグラムとは異なる。例えばコース内ニットシーケンス８４２Ａの第１量のフロントステッチ８４４Ａは、コース内ニットシーケンス８４２Ｂの第１量のフロントステッチ８４４Ｂとは異なる。フロント及びバックステッチのサブセットは、インターロック・コース８４０Ａと８４０Ｂの間で異なるように分割されるが、インターロック・コース８４０Ａ及び８４０Ｂは、所与の数の繰り返しコース内ニットシーケンスの中で同じ密度のインターロック・クロスオーバーを含む。例えばインターロック・コース８４０Ａ及び８４０Ｂは両方とも、それぞれのコース内ニットシーケンスの２つの繰り返しインスタンスの中で３つのインターロック・クロスオーバーを含み、これは図１１Ｂ及び図１２Ａのニットダイアグラムとも一貫する。このように、インターロック・コース７２０Ａ、８２０Ａ及び８４０Ａは、ニット織物領域を構成する際に同様の伸び及び圧縮特性を有することができる。
【００４９】
次に、図１２Ｃを参照すると、管状ジャカードニット構造が、第２インターロック・コース８５０Ｂにインターループ状に結合される第１インターロック・コース８５０Ａを含み、第１及び第２インターロック・コースが、それぞれのインターロック・コースで繰り返すそれぞれのコース内ニットシーケンス８５２Ａ及び８５２Ｂを含む、別の態様が示されている。図１２Ｃのニットダイアグラムは、それぞれのコース内ニットシーケンス内のステッチの総量が同じ（すなわち、８つのフロントステッチ及び８つのバックステッチ）であるという点で、図１１Ｂ、図１２Ａ及び図１２Ｂのニットダイアグラムと類似する。しかしながら、図１２Ｃのニットダイアグラムは、各コース内ニットシーケンスにおいて、第１糸ストランドが、第２糸ストランド（すなわち、４つ）と同じ数のフロントステッチ及びバックステッチ（すなわち、４つ）を構成するので異なる。以前に示したように、図１２Ｃのインターロック・コースを図１１Ｂ、図１２Ａ及び図１２Ｂのインターロック・コースと比較すると、各それぞれのコース内ニットシーケンス内のステッチの総量が同じであり（すなわち、８つのフロントステッチと８つのバックステッチ）、インターロック・クロスオーバーの数が同じであるため、インターロック・コースは、所与の数のコース内ニットシーケンスの繰り返しインスタンスの中で同じ密度のインターロック・クロスオーバーを含む。このように、インターロック・コース７２０Ａ、８２０Ａ、８４０Ａ及び８５０Ａは、ニット織物領域を構成する際に同様の伸び及び圧縮特性を有することができる。
【００５０】
図１２Ｄは、図１２Ｃに類似するニットダイアグラムを示しており、各コース内ニットシーケンス８６２Ａ及び８６２Ｂにおいて、第１糸ストランドは、第２糸ストランド（すなわち、４つ）と同じ数のフロントステッチ及びバックステッチ（すなわち、４つ）を構成する。しかし、図１２Ｃのニットシーケンス８５２Ａ及び８５２Ｂとは対照的に、コース内ニットシーケンス８６２Ａ及び８６２Ｂは、隣接する針の異なるペアの間でそれぞれのインターロック・クロスオーバーを含む。しかしながら、図１２Ａに関して説明したのと同じ理由により、インターロック・クロスオーバーの密度が同様であるので、伸び及び圧縮特性は同様であり得る。
【００５１】
図１１Ａ、図１１Ｂ及び図１２Ａ〜図１２Ｄに図示され、これらに関して説明された様々なコース内ニットシーケンスは、８つのフロントステッチ及び８つのバックステッチと、８つのフロント及びバックステッチの間の単一のインターロック・クロスオーバーを含む。加えて、インターロック・クロスオーバーは、コース内ニットシーケンスの直前及びコース内ニットシーケンスの直後に配置される。この意味で、コース内ニットシーケンスは、インターロック・クロスオーバーによってブックエンドされる。８つのフロント及びバックステッチの例は、本開示の一態様の例示であり、他の態様では、ニット織物領域６６及び６８におけるコース内ニットシーケンスは、４個以上で１２個以下の量のフロントステッチを含む。これらの他の態様では、単一のコース内ニットシーケンスのインターロック・クロスオーバーが、異なる隣接の針ペアの間に配置されて、フロントステッチとバックステッチを異なるサイズのサブセットに分割することができるように、図１１Ａ、図１１Ｂ及び図１２Ａ〜図１２Ｄに関して説明された原理を等しく適用する。例えば１２個のフロントステッチと１２個のバックステッチを有するコース内ニットシーケンスは、６個の２グループ、５個の１グループと７個の１グループ、４個の１グループと８個の１グループ等に分けられてもよい。さらに、インターロック・クロスオーバーは、１つのインターロック・コースから次のインターロック・コースへ同じ隣接の針ペアの間に配置されてもよく、あるいはインターロック・コースの間と異なる隣接の針ペアの間に配置されてもよい。
【００５２】
図１１Ａ〜図１２Ｄで規定される様々なニット構造は、所定の量のステッチ（例えば針位置の所定のセット）の中のインターロック・クロスオーバーの密度を含む。例えば図１１Ｂ〜図１２Ｄの各ニット構造は、各々が針位置ＨとＴとの間に１３個のフロントステッチ量を有する２つのフロントステッチコースと、各々が針位置ＨとＴとの間に１３個のバックステッチを有する２つのバックステッチコースとを含む。さらに、フロントステッチの量にバックステッチの量を組み合わせると、２６個のステッチ量が得られる。このように、比率は、所定のニット織物領域におけるステッチの数に対するインターロック・クロスオーバーの量を記述することができる。例えば１３個の針位置を有する２つのコースを含む図１１Ｂ〜図１２Ｄのニットダイアグラムによって記述されるニットシーケンスの各々において、ステッチの量に対するインターロック・クロスオーバーの比は３：１３である。このように、本開示の一態様では、ステッチの量に対するインターロック・クロスオーバーの比を使用して、ニット織物ゾーンにおける伸びの量を評価して調整することができる。
【００５３】
上述したように、図１１Ｂ〜図１２Ｄは、８つのフロントステッチ及び８つのバックステッチという量を有するいくつかの異なるコース内ニットシーケンスの単なる例であり、他の例では、コース内ニットシーケンスは、４〜１２個のステッチを含んでよい。ステッチに対するインターロック・クロスオーバーの比によってニット織物領域を特徴付ける同じ理論的解釈を適用すると、本開示の一態様において、比は約１：４から約１：１３の範囲内である。
【００５４】
本開示の他の態様によれば、ニット織物領域（例えば６６及び６８）の他の特性は、管状ジャカードニット構造に加えて、ニット織物領域によって提供される伸び及び圧縮の量に部分的に寄与する。例えば一態様では、フロント糸ストランドとバック糸ストランドの両方が、非弾性糸タイプ（ｙａｒｎ  ｔｙｐｅ）（時には、非伸張糸（ｎｏｎ−ｓｔｒｅｔｃｈ  ｙａｒｎ）とも呼ばれる）を含み、これは、荷重が除去されたときに非伸張状態に戻る前に荷重下で２００％未満の最大伸張を提供する弾性量を含む。更なる態様では、非弾性糸タイプの第１糸ストランド及び第２糸ストランドは、１００％未満の最大伸張を提供する。非弾性糸タイプの例には、ナイロン及びポリエステルが挙げられる。本開示の一態様では、第１糸ストランド及び第２糸ストランドは両方とも、ナイロン２／７８Ｄ／６８の両端（ｔｗｏ  ｅｄｇｅｓ）（すなわち、各プライ（ｐｌｙ）が６８フィラメントで７８デシテックスである２プライ（双糸））を含む。対照的に、弾性糸タイプは、荷重が除去されるときに非伸張状態に戻る前に、荷重下で２００％を超える最大伸張を提供し、いくつかの弾性糸は、約４００％の最大伸張を提供する。弾性糸の例には、スパンデックス、エラスタン（ｅｌａｓｔａｎｅ）、ライクラ（ｌｙｃｒａ）（登録商標）等が挙げられる。
【００５５】
第１糸ストランド及び第２糸ストランドが非弾性糸タイプを含むとき、ニット織物パネルの伸びの量は、インターロック・クロスオーバーによって提供される機械的伸びによって達成可能である。非弾性糸タイプが使用される本開示のこの態様がない場合、他の解決法は、伸び量を達成するために、より弾性のある糸タイプを含んでもよい。
【００５６】
本発明の別の態様によれば、ステッチ長は、管状ジャカードニット構造によって提供される伸び特性に加えて、ニット織物領域によって提供される伸びの量にも寄与し得る。例えばニット織物領域のフロント及びバックのステッチのステッチ長は、約３．００ｍｍ〜約３．３０ｍｍの範囲であってよい。また、本発明の一態様では、ステッチ長は３．１５ｍｍである。これらのステッチ長は、単に本開示の一態様の例示にすぎず、他の態様では、より小さい又はより大きいステッチ長が使用されてよい。
【００５７】
追加のニット構造が、ニット織物パネル及び管状ジャカードニット構造に一体的に編み込まれてもよい。例えば図４〜図７に関連して説明したように、管状ジャカードニット構造で構成される部分長コースの組合せが、ニット織物パネルの間に断続的に構成されて三次元形状を提供してもよい。別の例では、図１３を参照すると、管状ジャカードニット構造９１０は、複数のフロントステッチコース及び複数のバックステッチコースを有するように示されている。加えて、フロントステッチコース９１２Ａ及び９１２Ｂは、図８〜図１２Ｄに関して説明した管状ジャカードニット構造と同様に、バックステッチコース９１４Ａ及び９１４Ｂと断続的にインターロックされる。このように、フロントステッチコース９１２Ａとバックステッチコース９１４Ａは、インターロック・コースを形成する。本開示の別の態様によると、各インターロック・コースは、１つおきのフロントステッチ（ｅｖｅｒｙ  ｏｔｈｅｒ  ｆｒｏｎｔ  ｓｔｉｔｃｈ）及び１つおきのバックステッチ（ｅｖｅｒｙ  ｏｔｈｅｒ  ｂａｃｋ  ｓｔｉｔｃｈ）とインターループすることによって、それぞれのフロントステッチコース９１２Ａをそれぞれのバックステッチコース９１４Ｂに更にバインドする、インターロック・タック・ステッチ（ｉｎｔｅｒｌｏｃｋ  ｔｕｃｋ  ｓｔｉｔｃｈｅｓ）のコースを更に含む。図１３に示されるように、第３糸ストランド９１６は、バックステッチコース９１４Ａにおいてタック・ステッチ９１８を形成し、次いで、フロントステッチコース９１２Ａに移動して、別のタック・ステッチ９２０を形成する。さらに、第３糸ストランド９１６は、フロントステッチコース９１２Ａとバックステッチコース９１４Ａとの間を前後に波状に移動して、１つおきのフロントステッチ及び１つおきのバックステッチにおいてタック・ステッチを形成する。図１３では過密を避けるために、インターロック・タック・ステッチのコースは、例えばフロントステッチコース９１２Ｂ及びバックステッチコース９１４Ｂによって形成されるコース内には図示されていないが、本開示の他の態様では、インターロック・タック・ステッチの別のコースが、フロントステッチコース９１２Ｂを、バックステッチコース９１４Ｂとバインドしてもよい。さらに、インターロック・タック・ステッチの他のコースは、フロントステッチコース９１２Ａをバックステッチコース９１４Ｂとバインドするインターロック・タック・ステッチのコースからオフセットされてもよい。
【００５８】
図１４を参照すると、ニットダイアグラム１０１０は、実行されると、図１３の管状ジャカードニット構造９１０と同様のニット構造になるニット表記を示す。例えばニットダイアグラム１０１０は、第３糸ストランド１０１４のニット構造を規定する行１０１２を示す。図１３に関して説明したように、この行は、第３糸ストランド１０１４がバックサイドにタック・ステッチ１０１６を形成し、次いで第３糸ストランド１０１４がフロントサイドに移動１０１８することを示す。次いで、第３糸ストランド１０１４は、フロントサイドにタック・ステッチ１０２０を形成し、バックサイドに移動１０２２する。このパターンは、１つおきのフロントステッチ及び１つおきのバックステッチにおいてタックを縫う間に、第３糸ストランド１０１４がフロントサイドとバックサイドの間で前後に移動するように繰り返す。
【００５９】
図１５は、管状ジャカードニット構造１１１０の別の例示の概略図を提供する。管状ジャカードニット構造１１１０は、図１３のフロントステッチコース９１２Ａ及びバックステッチコース９１４Ａに対応し、第１糸ストランド１１１２、第２糸ストランド１１１４及び第３糸ストランド１１１６を含む。第１糸ストランド１１１２及び第２糸ストランド１１１４は、図１０のニット構造３１０と同様の構造を形成するように編まれており、断続的にインターロックしてインターロック・コースを形成するフロントステッチコース１１１８とバックステッチコース１１２０を含む。加えて、第３糸ストランド１１１６は、１つおきのフロントステッチ及び１つおきのバックステッチにおいて一連のインターロック・タック・ステッチを構成することによって、フロントステッチコース１１１８とバックステッチコース１１２０をバインドする。
【００６０】
インターロック・タック・ステッチのコースをニット織物パネルへ構成することができる方法を更に例示するために、別のニットダイアグラム１２１０が図１６に図示されている。ニットダイアグラム１２１０は、いくつかの点で図１１Ａのニットダイアグラム７１０と類似している。例えばニットダイアグラム１２１０は、第１糸ストランド１２１６についてのステッチタイプ及び位置を示す一連の第１糸行１２１２Ａ〜１２１２Ｅと、第２糸ストランド１２１８についてのステッチタイプ及び位置を示す一連の第２糸行１２１４Ａ〜１２１４Ｅとを示す。加えて、図１１Ａと同様に、第１糸ストランド１２１６及び第２糸ストランド１２１８は、８つのフロントステッチ、８つのバックステッチ、そして８つのフロントステッチとバックステッチの間の単一のインターロック・クロスオーバーを有する、繰り返しのコース内ニットシーケンスを有する同様のインターロック・コースを構成する。加えて、ニットダイアグラム１２１０は、一連の第３糸行１２２０Ａ〜１２２０Ｅを更に示している。第３糸行１２２０Ａ〜１２２０Ｅは、各コース内でフロントベッドからバックベッドへ交互になり、１つおきのフロントステッチ及び１つのおきのバックステッチにおいて構成される、インターロック・タック・ステッチを規定する。さらに、ニットダイアグラム１２１０は、インターロック・タック・ステッチの連続するコース（例えば１２２０Ａ及び１２２０Ｂ）が互いにオフセットされていることを示す。したがって、コース１２２０Ａ内の、スキップされてタック・ステッチを含まない針が、直接連続するコース１２２０Ｂ内のタック・ステッチを含むことになる。
【００６１】
図１６のニットダイアグラム１２１０は、インターロック・タック・バインダを含む１つのニット構造の例である。本開示の他の態様では、図１２Ａ〜図１２Ｄに示される様々なニット構造の各々は、インターロック・タック・ステッチのオフセットコースを含むように補足されてもよい。さらに、図１１Ａ〜図１２Ｄに関して説明した追加の可能なニットの組合せの各々は、少なくとも４つのフロントステッチ及びバックステッチで１２個以下のフロントステッチ及びバックステッチを有するコース内ニットシーケンスを含む、インターロック・タック・ステッチのオフセットコースも含んでよい。更なる態様では、インターロック・タック・バインダを有する管状ジャカードニット構造は、本開示の他の部分で説明されるように、フロント及びバックステッチのより小さい又はより大きいサブセットを含んでもよい。
【００６２】
更なる態様において、インターロック・タック・ステッチを構成するために使用される第３糸ストランドは、第１糸ストランド及び第２糸ストランドと同様の特性を含む。例えば第３糸ストランドは、非弾性糸タイプ（時には、非伸張糸とも呼ばれる）を含み、これは、荷重が除去されたときに非伸張状態に戻る前に荷重下で２００％未満の最大伸張を提供する弾性量を含む。更なる態様では、非弾性糸タイプの第１糸ストランド及び第２糸ストランドは、１００％未満の最大伸張を提供する。非弾性糸のタイプの例には、ナイロン及びポリエステルが挙げられる。本開示の一態様では、第３糸ストランドは、ナイロン２／７８Ｄ／６８の両端（すなわち、各プライが６８フィラメントで７８デシテックスである２プライ）を含む。さらに、タック・ステッチは、緊密なニットパネル（ｔｉｇｈｔｌｙ  ｋｎｉｔ  ｐａｎｅｌ）を促進する寸法を含み、一態様においては、タック・ステッチは、約２．６ｍｍ〜約３．００ｍｍの範囲のステッチ長を含む。
【００６３】
インターロック・タック・バインダは、本開示で説明される管状ジャカードニット構造を有するニット織物領域に、様々な特性を付加する。例えばインターロック・タック・バインダは、より幅広にされるか押し広げられる、より平らなニット織物パネルをもたらすように、フロントステッチコース及びバックステッチコースを一緒に保持する。さらに、このバインダは、ニット織物パネルをよりタイトにすることを容易にするのに役立つ。インターロック・タック・ステッチのコースによって伝えられる特性は、タック・ステッチの小さな間隔、並びに糸の組成（例えば非伸張）及びサイズによって達成される。インターロック・タック・ステッチのコースは、多くの場合にタック・ステッチを更に離間させ、より広い針床間隔を利用し、より大きな糸を一体化する、スペーサニット構造のようなニット構造に追加される可能性がある、いくつかの他のタイプの追加のニット構造とは異なる。
【００６４】
図４〜図１６に関連する本開示の以前の説明部分は、図１〜図３に図示されるニット織物領域６６及び６８を構成することができる様々な管状ジャカードニット構造を説明している。前述したように、これらの管状ジャカードニット構造は、インターロック・クロスオーバーの密度、糸組成、糸サイズ、ステッチ長又はそれらの任意の組合せに少なくとも部分的に基づいて、ニット織物領域６６及び６８に対して、ある量の伸びを提供する。したがって、本開示の一態様では、伸びの量は、ある量のサポート及び圧縮を下にある組織（例えば乳房組織）に提供する、弾性率（ｍｏｄｕｌｕｓ  ｏｆ  ｅｌａｓｔｉｃｉｔｙ）に変換される。弾性率は、様々な方法で決定されてよく、一態様では、ＡＳＴＭ  Ｄ  ４９６４−９６によって指定される試験方法を使用してもよい。このように、ニット織物領域６６及び６８のサイズは、乳房カバー部分３０及び３２の一部又はすべてを含むように構成されてよく、そのサイズは様々な方法で決定されてよく、そのような方法の一部は、上胴衣、乳房カバー部分又はそれらの組合せのサイズに関係する。
【００６５】
本開示の一態様は、サイズ及び寸法を有する上胴衣を含む。例えば上胴衣は、３０インチ以上４２インチ以下のサイズの胸部バンドと、Ａ〜Ｅの範囲のカップサイズとを有するブラとすることができる。加えて、ブラは、Ｓ、Ｍ、Ｌ、ＸＬ（ｘ−ｌａｒｇｅ）等のサイジングを有してもよい。乳房カバー部分３０及び３２も様々なサイズを有してもよい。例えば乳房カバー部分３０及び３２の底部周縁（ｂｏｔｔｏｍ  ｐｅｒｉｍｅｔｅｒ  ｅｄｇｅ）において、該底部周縁が胸部バンド５０と合致する場合、乳房カバー部分３０及び３２のうちの一方の底部周縁は、約３インチから約５インチの範囲の長さを有してもよい。別の態様では、乳房カバー部分の各々の底部周縁は、約９０ステッチから約１２０ステッチの範囲の多数のステッチを有することができる。例えば図１〜図３の乳房カバー部分３０及び３２は各々、胸部バンド５０に合致する底部周縁に沿って約１０４個のステッチを含む。加えて、中央ブリッジ３４とインタフェースする乳房カバー部分３０及び３２の各々の内側周縁（ｍｅｄｉａｌ  ｐｅｒｉｍｅｔｅｒ  ｅｄｇｅ）は、約３．５インチから約５．５インチの範囲の長さを含むことができる。また、別の態様では、乳房カバー部分３０及び３２の各々の内側周縁は、約１５０〜約２４０個の範囲の多数のコースを含むことができる。
【００６６】
上胴衣のいくつかの例示的なサイズ及び寸法を説明してきたが、本開示の別の態様は、管状ニット織物を含み、かつ乳房カバー領域３０及び３２内に配置される、ニット織物領域６６及び６８のサイズに関する。ニット織物パネル６６及び６８と乳房カバー部分３０及び３２との間のこの相対的なサイジングは、少なくとも部分的に、ニット織物パネルによって提供される伸び特性が乳房カバー部分３０及び３２に伝達される程度を決定することができる。
【００６７】
ニット織物領域６６及び６８のサイズは、様々なメトリクスによって決定されてよい。例えばニット織物領域６６及び６８は、測定側面を有する多角形の形状を含んでもよく、一態様では、ニット織物領域６６及び６８は、少なくとも１’’×１’’（１インチ×１インチ）の正方形である。また、別の態様では、ニット織物パネル６６及び６８は、胸部バンドに当接する基部周縁が約３インチ〜約５インチの範囲にあり、内側領域に当接する内側周縁が約３．５インチ〜約５．５インチの範囲にあるように、乳房カバー領域３０及び３２の寸法の少なくとも一部に対応するサイズを含む。これらの寸法は、本発明の一態様の例示であり、他の態様では、ニット織物領域の寸法は、列挙された範囲よりも小さくてもよい。ニット織物領域のこれらの寸法は、列挙された範囲よりも大きくてもよい。
【００６８】
本開示の更なる態様では、ニット織物領域６６及び６８のサイズは、コース及びステッチの数に基づいてもよい。例えば一態様では、ニット織物領域６６及び６８は、約４０コースから約１２０コースの範囲の量のインターロック・コースを含み、各インターロック・コースは、フロントステッチコース及びバックステッチコースを含む。更なる態様では、例えばニット織物パネルが、乳房カバー部分３０及び３２の内側周縁に対応するサイズを含むようなときには、各ニット織物領域６６及び６８は、約１５０コースから約２４０コースの範囲の量のコースを含む。加えて、その量内のこれらのコースの各々は、インターロック・コースに沿って繰り返すそれぞれのコース内ニットシーケンスを含む。コース内ニットシーケンスのサイズ（例えば４〜１２ステッチの間）に基づいて及びコース内ニットシーケンスの繰り返しの回数に基づいて、ニット・テキスタイル・パネルの別の寸法を、それぞれのコースのステッチの総数に基づいて決定することができる。例えば以前に示したように、コース内ニットシーケンスは、４個以上で１２個以下のステッチ量を有することができ、シーケンスは５回〜１０回の間で繰り返すことができる。これらの例示的な数字を使用して、ニット織物領域の幅を、２０ステッチ〜１２０ステッチとの間とすることができる。また、更なる態様では、例えばニット織物パネルが、乳房カバー部分３０及び３２の底部周縁に対応するサイズを含むようなときには、各ニット織物領域６６及び６８は、約８０個〜約１２０個の範囲のステッチ量を含むことができる。
【００６９】
本開示の他の部分で説明されるように、コース又はニット織物パネル内のインターロック・クロスオーバーの数を増加させて弾性率を低下させることができ、またインターロック・クロスオーバーの数を減少させて弾性率を上げることができる。したがって、本発明の一態様は、第１弾性率を有する第１ニットゾーンと、第１弾性率よりも大きい第２弾性率を有する第２ニットゾーンとを含む上胴衣を含む。さらに、第１ニットゾーンは、第１管状ジャカードニット構造で構成され、第２ニットゾーンは、第２管状ジャカードニット構造で構成される。第１管状ジャカードニット構造及び第２管状ジャカードニット構造は両方とも、複数のバックステッチコースと断続的にインターロックされる複数のフロントステッチコースを含む。しかしながら、第２管状ジャカードニット構造内のインターロック・クロスオーバーの密度は、第１管状ジャカードニット構造内のインターロック・クロスオーバーの密度よりも低く、より低い密度は、より少ない数のインターロック・クロスオーバーによって与えられる伸びを小さくすることで弾性率を増加させる。本開示のこの態様は、上胴衣の異なる領域が、同じ糸タイプと、同じ糸サイズと、同じステッチ構造と、インターロック・クロスオーバーの密度に基づく異なるゾーン特性で構成されることを可能にする。
【００７０】
本開示で説明される態様の１つ以上を有する上胴衣は、様々な方法で構成され得る。例えば市販のＶベッド編機（Ｖ−ｂｅｄ  ｋｎｉｔｔｉｎｇ  ｍａｃｈｉｎｅ）のような、フロント針床及びバック針床を有するフラットベッド編機を使用してよい。様々なベッドゲージを有する編機を使用することができ、一態様では、１８ゲージベッドを使用して上胴衣を構成してもよい。さらに、１４ゲージ、１６ゲージ、１８ゲージ等の様々なサイズの針を使用することができ、一態様では、１６ゲージ針が１８ゲージ針床上で使用される。
【００７１】
上胴衣全体は、単一の一体型ピースとして編まれてよく、次いで、左側、右側、前方部分及び後方部分を作るために特定の位置で一緒に結合される。加えて、上胴衣の特定の部分は、互いに別々に編まれてよく、その後、上胴衣を形成するように結合されてよい。一態様では、ストラップを有する前方部分は、後方部分とは別個に構成され、次いで、２つの部分が結合されて上胴衣を形成する。例えば前方部分の少なくとも一部がすべて非弾性糸で構成されてよく、一方、弾性糸が後方部分に編み込まれてもよい。次いで、前方部分は、後方部分に結合され得る。これらの製造態様は単に例示であり、様々な他の技術も利用され得る。
【００７２】
図１〜図１６に図示される様々な態様、並びに代替的な態様を説明したので、ここで、図示される態様又は代替的な態様のうちの１つ以上を利用する、いくつかの追加の態様を説明する。このように、本開示の１つの更なる態様は、乳房カバー部分と、該乳房カバー部分に位置する一対のドーム形状部分とを有する上胴衣に向けられる。一対のドーム形状部分は、中央ブリッジによって互いに分離され、各ドーム形状部分は上半分と下半分に分割可能である。さらに、各ドーム形状部分は、中央ブリッジに当接する内側周縁と、外側周縁とを含む。上胴衣は、ドーム形状部分の各々を構成するニット織物パネルを含み、ニット織物パネルは、内側周縁から外側周縁へドーム形状部分に完全に広がる（ｆｕｌｌｙ  ｓｐａｎｎｉｎｇ）複数のコースを備える。さらに、上胴衣は、ドーム形状部分に部分的に広がる複数の部分長コースを含み、該複数の部分長コースは、複数のコースの間に断続的に配置され、複数の部分長コースは、上半分と下半分の間に不均等に分布される。
【００７３】
本開示の別の態様は、乳房カバー部分と、該乳房カバー部分内に配置される一対のドーム形状部分とを有する上胴衣に向けられる。一対のドーム形状部分は、中央ブリッジによって互いに分離され、各ドーム形状部分は上半分と下半分に分割可能である。さらに、各ドーム形状部分は、中央ブリッジに当接する内側周縁と、外側周縁とを含む。上胴衣は、ドーム形状部分の各々を構成するニット織物パネルを含み、ニット織物パネルは、内側周縁から外側周縁へドーム形状部分に完全に広がる複数のコースを備える。さらに、上胴衣は、ドーム形状部分に部分的に広がる複数の部分長コースを含む。複数の部分長コースは、複数のコースの間に断続的に配置され、複数の部分長コースは、上半分よりも下半分に、より多くの部分長コース分布を含む。
【００７４】
本開示の更なる態様は、乳房カバー部分と、該乳房カバー部分に位置する一対のドーム形状部分とを有する上胴衣に向けられる。一対のドーム形状部分は、中央ブリッジによって互いに分離され、各ドーム形状部分は上半分と下半分に分割可能である。さらに、各ドーム形状部分は、中央ブリッジに当接する内側周縁と、外側周縁とを含む。上胴衣は、ドーム形状部分の各々を構成するニット織物パネルを含み、該ニット織物パネルは、内側周縁から外側周縁へドーム形状部分に完全に広がる複数のコースを備える。さらに、上胴衣は、ドーム形状部分に部分的に広がる複数の部分長コースを含む。複数の部分長コースは、複数のコースの間に断続的に配置され、複数の部分長コースは、下半分よりも上半分に、より多くの部分長コース分布を含む。
【００７５】
以上のことから、本主題は、明確かつ構造に固有である他の利点とともに、上記で説明される目的及び目標を達成するように適合されていることが分かるであろう。特定の特徴及びサブコンビネーションは有用であり、他の特徴及びサブコンビネーションを参照することなく用いることができることが理解されるであろう。これは、特許請求の範囲によって考慮されており、その範囲内にある。本主題の範囲から逸脱することなく、本主題について多くの可能な変形及び代替案を作ることができるので、本明細書で説明されるか、添付の図面に示されるすべての事項は、例示的なものとして解釈されるべきであり、限定的な意味では解釈されないことを理解されたい。
【図１】
2020128624.tif 000003
【図２】
2020128624.tif 000004
【図３】
2020128624.tif 000005
【図４】
2020128624.tif 000006
【図５】
2020128624.tif 000007
【図６】
2020128624.tif 000008
【図７】
2020128624.tif 000009
【図８】
2020128624.tif 000010
【図９】
2020128624.tif 000011
【図１０Ａ】
2020128624.tif 000012
【図１０Ｂ】
2020128624.tif 000013
【図１１Ａ】
2020128624.tif 000014
【図１１Ｂ】
2020128624.tif 000015
【図１２Ａ】
2020128624.tif 000016
【図１２Ｂ】
2020128624.tif 000017
【図１２Ｃ】
2020128624.tif 000018
【図１２Ｄ】
2020128624.tif 000019
【図１３】
2020128624.tif 000020
【図１４】
2020128624.tif 000021
【図１５】
2020128624.tif 000022
【図１６】
2020128624.tif 000023
【外国語明細書】
2020128624000001.pdf